(57)【要約】      （修正有）【課題】レジ係の作業をよりスムーズに行えるようにするカートインカウンタを提供する。【解決手段】バーコード読取機Ｂを設置した本体１０と、チェックインカウンタ２０と、を備えるカートインカウンタ１００であって、本体１０の買物客Ｓ側の本体外面１１に比べて、チェックインカウンタ２０の買物客Ｓ側のチェックインカウンタ外面２１が、レジ係Ｃ側へと水平方向へずれた状態で、チェックインカウンタ２０が配置されている。【選択図】図２
0003187603.tif 000002
【実用新案登録請求の範囲】
【請求項１】
バーコード読取機を設置した本体と、
チェックインカウンタと、を備えるカートインカウンタであって、
前記本体の買物客側の本体外面に比べて、前記チェックインカウンタの買物客側のチェックインカウンタ外面が、レジ係側へと水平方向へずれた状態で、前記チェックインカウンタが配置されていることを特徴とするカートインカウンタ。
【請求項２】
前記本体外面と前記チェックインカウンタ外面との間には、ショッピングカートの側面を当接させることのできるショッピングカート当接面が設けられていることを特徴とする請求項１に記載のカートインカウンタ。
【請求項３】
前記チェックインカウンタと隣接している、前記本体の天板の一部分が、前記レジ係側へと拡張されていることを特徴とする請求項１又は２に記載のカートインカウンタ。
【考案の詳細な説明】
【技術分野】
【０００１】
本考案は、スーパーマーケット等において買物客がショッピングカートを使用して買物カゴに詰めた商品をカウンタで清算するのに用いるカートインカウンタに関する。
【背景技術】
【０００２】
従来から、特許文献１に示すようなカートインカウンタが知られている。このカートインカウンタは、主に、バーコード読取機を設置した本体と、チェックインカウンタとから構成され、それらが横並びに一列に配置されている。買物客は、店内を回り、ショッピングカートの買物カゴに商品を詰めた後、そのままショッピングカートを、カートインカウンタのチェックインカウンタへと乗り入れる。
【０００３】
具体的には、レジ入口に移動してきた買物客はショッピングカートの向きを、チェックインカウンタに対して略直角方向へ変える。そして、買物客は、ショッピングカートのハンドル側の主柱が、チェックインカウンタの買物客側のチェックインカウンタ外面に当接するまで、そのままショッピングカートを押込む。
【０００４】
そして、レジ係は、チェックインカウンタに乗り入れたショッピングカート内の買物カゴから商品を取り出し、バーコード読取機でスキャニングを行う。そして、その後、別の買物カゴに商品を収容していき、最終的に支払額の総計を算出する。
【先行技術文献】
【特許文献】
【０００５】
【特許文献１】実用新案登録第３１７６６４８号公報
【考案の概要】
【考案が解決しようとする課題】
【０００６】
ただ、特許文献１に示すカートインカウンタでは、バーコード読取機を設置した本体と、チェックインカウンタとが横並びに一列に配置されていた。そして、ショッピングカートは、チェックインカウンタ外面に当接して、それ以上、レジ係側へと乗り入れることが出来なかった。そのため、レジ係の反対側から乗り入れるカート内の買物カゴと、レジ係との距離が比較的遠くなっており、レジ係にとって、買物カゴから商品を取り出し、バーコート読取機でスキャニングするのが大変であった。
【０００７】
そこで、本考案は、上記問題に鑑み、チェックインカウンタに乗り入れたショッピングカート内の買物カゴと、レジ係との距離を近くできるようにして、レジ係の作業をよりスムーズに行えるようにしたカートインカウンタを提供するものである。
【課題を解決するための手段】
【０００８】
上記課題を解決するために、本考案のカートインカウンタは、バーコード読取機を設置した本体と、チェックインカウンタとを備えており、前記本体の買物客側の本体外面に比べて、前記チェックインカウンタの買物客側のチェックインカウンタ外面が、レジ係側へと水平方向へずれた状態で、前記チェックインカウンタが配置されていることを特徴としている。
【０００９】
上記特徴によれば、チェックインカウンタ外面が、本体外面に比べて、レジ係側へと水平方向へずれているので、チェックインカウンタに乗り入れたショッピングカートを、レジ係側へとより移動させることができる。そのため、チェックインカウンタに乗り入れたショッピングカート内の買物カゴと、レジ係との距離が近くなり、レジ係は作業を行いやすくなる。
【００１０】
さらに、本考案のカートインカウンタは、前記本体外面と前記チェックインカウンタ外面との間に、ショッピングカートの側面を当接させることのできるショッピングカート当接面を設けていることを特徴としている。
【００１１】
上記特徴によれば、チェックインカウンタに乗り入れたショッピングカートの側面が、ショッピングカート当接面に当接するので、ショッピングカートが移動することを防止できる。
【００１２】
さらに、本考案のカートインカウンタは、前記チェックインカウンタと隣接している、前記本体の天板の一部分が、レジ係側へと拡張されていることを特徴としている。
【００１３】
上記特徴によれば、レジ係側へと拡張された天板の一部分をレジ係が、有効に利用でき、レジ作業が行い易くなる。
【考案の効果】
【００１４】
上記したように、本考案によれば、レジ係の作業をよりスムーズに行えるようにすることができる。
【図面の簡単な説明】
【００１５】
【図１】本考案のカートインカウンタの全体斜視図である。
【図２】図１に示すカートインカウンタのチェックインカウンタにショッピングカートが乗り入れた状態を示す全体斜視図である。
【図３】（a）は、図１に示すカートインカウンタの平面図、（ｂ）は正面図、（ｃ）は側面図である。
【図４】（a）は、本考案のカートインカウンタの他例を示すカートインカウンタの平面図、（ｂ）は正面図、（ｃ）は側面図である。
【符号の説明】
【００１６】
１０  本体
１１  本体外面
１２  ショッピングカート当接面
２０  チェックインカウンタ
２１  チェックインカウンタ外面
３０  ショッピングカート
１００  カートインカウンタ
B      バーコード読取機
C      レジ係
S      買物客
【考案を実施するための形態】
【００１７】
以下に、本考案の実施の形態について、図面を用いて説明する。なお、以下の説明において参照する各図の形状は、好適な形状寸法を説明する上での概念図又は概略図であり、寸法比率等は実際の寸法比率とは必ずしも一致しない。つまり、本発明は、図面における寸法比率に限定されるものではない。
【００１８】
図１は、本考案のカートインカウンタ１００の全体斜視図を示している。図１に示すように、カートインカウンタ１００は、主にバーコード読取機Bを設置した本体１０と、チェックインカウンタ２０から構成されている。なお、カートインカウンタ１００の図面上手前側は買物客S側で、カートインカウンタ１００の図面上奥側はレジ係C側である。
【００１９】
本体１０は、中空状の直方体であり、本体１０の上側、左右側、及び買物客S側は側壁に囲まれ、レジ係C側が開放された形状をしている。そして、その上側は、レジ係Cが作業を行うための平坦な天板１３となっている。また、左右側と買物客S側の側壁の下方にはゴムマットGが張り付けてあり、買物客Sが移動させるショッピングカート３０の下端側が接触しても、傷が付かないようになっている。
【００２０】
また、この本体１０の側面（具体的には、商品を選び終えた買物客Sが会計をするために、ショッピングカート３０を運んでくるレジの入口側）に、チェックインカウンタ２０が取り付けられている。このチェックインカウンタ２０は、本体１０の本体外面１１に比べて、チェックインカウンタ外面２１がレジ係C側へと水平方向へ引っ込むように、ずれた状態で、取り付けられている。
【００２１】
そして、このように、チェックインカウンタ２０がレジ係C側へと水平方向へずれた状態で配置されているので、チェックインカウンタ外面２１の前方側（買物客S側）では、本体１０の側面が露出することになり、この露出部分が、ショッピングカート当接面１２となる。
【００２２】
では、次に図２を参照して、買物客Sがカートインカウンタ１００にショッピングカート３０を乗り入れた状態で、レジ係Cがレジ作業することについて説明する。
【００２３】
まず、買物客Sは、商品をショッピングカート３０の買物カゴ３３の中に入れた後、会計を済ませるために、ショッピングカート３０をカートインカウンタ１００の入口側へと移動させる。そして、買物客Sは、図２に示すように、チェックインカウンタ２０に対して略直角になるようにショッピングカート３０の方向を変え、そのまま、ショッピングカート３０のハンドル側の支柱３１に、チェックインカウンタ２０のチェックインカウンタ外面２１が当接するまで、ショッピングカート３０をレジ係C側へ押し込む。
【００２４】
なお、チェックインカウンタ２０は、図２に示すように、ショッピングカート３０の上部荷台と下部荷台の間の空間に位置するように、その設置高さが調節されて、本体１０の側面に取り付けられている。
【００２５】
次に、図２に示すように、ショッピングカート３０がチェックインカウンタ２０に乗り入れた状態のまま、レジ係Cは、ショッピングカート３０の買物カゴ３３の中にある商品を順次取り出し、バーコード読取機Bでスキャニングし、会計後用の買物カゴ３４に入れていく。
【００２６】
ここで、チェックインカウンタ外面２１は、本体外面１１に比べてレジ係C側へと水平方向へずれているので、ショッピングカート３０をよりレジ係C側へと移動させることできる。そのため、レジ係Cと買物カゴ３３との距離が近くなるので、レジ係Cが買物カゴ３３から商品を取り出しやすく、レジ作業が行い易くなる。
【００２７】
また、レジ係Cが買物カゴ３３から商品を取り出す際に、その商品が買物カゴ３３（特に、買物カゴ３３のバーコード読取機B側の内側壁）に閊える場合がある。すると、ショッピングカート３０がバーコード読取機B側へと移動したり、バーコード読取機B側へ回転するように姿勢が変化してしまい、レジ係Cのレジ作業が行いにくくなる虞がある。しかしながら、ショッピングカート３０の支柱３１の側面がショッピングカート当接面１２に当接するので、ショッピングカート３０がバーコード読取機B側へ移動したり、回転して姿勢が変化するのが防止される。したがって、商品の取り出し時に、レジ係Cのレジ作業が行いにくくなることはない。
【００２８】
その後、レジ係Cが、買物カゴ３３内の全ての商品をバーコード読取機Bでスキャニングし、買物カゴ３４の中に移動させたら、買物カゴ３３をショッピングカート３０から取り出す。そして、買物客Sは、会計を済ませたら、ショッピングカート３０をチェックアウトカウンタ４０側へ移動させて、ショッピングカート３０をチェックアウトカウンタ４０に対して略直角になるように姿勢を変える。その状態で、レジ係Cは買物カゴ３４をチェックアウトカウンタ４０に乗り入れたショッピングカート３０に載せて、一連のレジ作業は終了する。
【００２９】
次に、図３（a）にカートインカウンタ１００の平面図を、図３（ｂ）に正面図を、図３（ｃ）に側面図を示す。なお、バーコード読取機Bは、取り外された状態で示してある。
【００３０】
図３（a）及び（ｂ）に示すように、カートインカウンタ１００のレジ入口側にはチェックインカウンタ２０が取り付けられ、カートインカウンタ１００のレジ出口側にはチェックアウトカウンタ４０が取り付けられている。このチェックインカウンタ２０は、本体１０の本体外面１１に比べて、チェックインカウンタ外面２１がレジ係C側へと水平方向へ引っ込むように、ずれた状態で、配置されている。なお、チェックインカウンタ２０をレジ係C側へずらす距離は、任意であるが、レジ係側の作業空間が過度に圧迫されない程度に設定する必要がある。
【００３１】
また、図３（a）に示すように、本体外面１１とチェックインカウンタ外面２１との間には、ショッピングカート当接面１２が設けられている。このショッピングカート当接面１２は、チェックインカウンタ外面２１に対して略直角に交わっている。したがって、このショッピングカート当接面１２は、チェックインカウンタ２０に対して略直角に乗り入れられたショッピングカート３０の支柱３１（図２参照）の側面に、ぴったりと当接することができ、ショッピングカート３０にバーコード読取機B側へ向かう外力が加わっても、ショッピングカート３０が移動したり回転したりすることがない。
【００３２】
また、チェックインカウンタ２０は、天板２２と、当該天板２２の裏面に固定された取付部材２３からなり、当該取付部材２３は本体１０の側面にネジ止め固定されている。この取付部材２３は、図３（ｃ）に示すように、本体１０の側面に設けられた固定穴２４にネジ止め固定される。また、固定穴２４は、本体１０の側面に、垂直方向へ直線状に複数設けられているので、その中からネジ止め固定に利用する固定穴２４を選択することで、チェックインカウンタ２０の設置高さを、図３（ｂ）の仮想線に示すように、上下に任意に変更することができる。
【００３３】
このように、チェックインカウンタ２０の設置高さ（地面からの高さ）は変更可能なため、店舗で利用されるショッピングカートの種類が変更されても、それに対応することができる。つまり、ショッピングカートの種類によっては、ショッピングカートの上部荷台の高さが異なる場合があり、上部荷台がチェックインカウンタ２０の天板２２に接触して、チェックインカウンタ２０にショッピングカートを乗り入れられない虞がある。しかし、上述したように、チェックインカウンタ２０の設置高さを変更できるので、ショッピングカートの種類が変更されても、その上部荷台がチェックインカウンタ２０の天板２２に接触しないように、チェックインカウンタ２０の設置高さを変更して対応することができる。
【００３４】
また、図３（ｂ）に示すように、チェックインカウンタ２０は、本体１０に向けて僅かに傾斜している。これは、例えば、ショッピングカート３０を利用せずに買物カゴ３３だけで買物をした買物客Sが、チェックインカウンタ２０の上に買物カゴ３３を置いて会計を済ませる場合等を想定したものである。レジ係は、買物カゴ３３の中の商品を取り出す際に、自身に近い方が作業がし易い。そこで、チェックインカウンタ２０をレジ係の居る本体１０に向けて（カートインカウンタ１００の長手方向であって、レジ係C側へ）僅かに傾斜させることで、レジ係が、買物カゴ３３を自身の方に引き寄せやすくなるのである。
【００３５】
なお、チェックインカウンタ２０の長手方向の長さは、買物カゴ３３を２つ縦に置ける長さに設定してある。また、天板２２は透明な樹脂等で形成されているので、ショッピングカート３０の下部荷台に商品が載っていても、レジ係はそれを見落とすことがない。さらに、図３（ｂ）に示すように、本体１０は、レジ係C側が開放された中空状になっており、その内部に複数の収納空間１４が区画形成されている。
【００３６】
次に、図３（ｂ）及び（ｃ）に示すように、本体１０の天板１３とチェックインカウンタ２０の天板２２との間は、段差状になっており、その段差は上側当接面１５となっている。この上側当接面１５は、チェックインカウンタ２０に乗り入れたショッピングカート３０の上部荷台の側面に当接することができる（図２参照）。さらに、チェックインカウンタ２０の下方では、本体１０の側面が露出しており、その露出部分は、下側当接面１６となる。この下側当接面１６は、チェックインカウンタ２０に乗り入れたショッピングカート３０の下部荷台の側面に当接することができる（図２参照）。
【００３７】
したがって、図３（ｃ）に示すように、本体１０とチェックインカウンタ２０との隣接面では、略コ字状に連続した上側当接面１５、ショッピングカート当接面１２（又は、中央当接面１２と呼ぶ）、及び下側当接面１６が位置することなる。そのため、チェックインカウンタ２０に乗り入れたショッピングカート３０の全ての側面（上部荷台の側面、及び、支柱３１の側面、及び下部荷台の側面）を、この上側当接面１５、ショッピングカート当接面１２、及び下側当接面１６が、しっかり支持することになる。よって、ショッピングカート３０が本体１０側に移動したり、回転しようとしても、確実に防止することができる。
【００３８】
また、ショッピングカート３０の形状が変更しても（例えば、ショッピングカート３０の上部荷台の位置が高くなったり、支柱３１が内側に湾曲していたりする場合など）、ショッピングカート３０のいずれかの側面（例えば、少なくとも上部荷台の側面、又は、支柱３１の側面、又は下部荷台の側面のいずれか）が、少なくとも上側当接面１５、又はショッピングカート当接面１２、又は下側当接面１６のいずれかに当接するので、ショッピングカート３０が本体１０側に移動したり、回転したりすることを防止できる。
【００３９】
次に、図４を参照して、本発明の変形例であるカートインカウンタ２００を、一実施形態のカートインカウンタ１００と対比しつつ説明するが、一実施形態と共通する構成については説明を省略する。
【００４０】
一実施形態のカートインカウンタ１００の天板１３は、略長方形の形状をしていたが、これに限定されない。図４（a）に示すように、チェックインカウンタ２２０と隣接している天板２１３の一部分２１７（又は、拡張部分２１７と呼ぶ）が、レジ係C側へと迫出すように拡張されている。
【００４１】
具体的には、図４（a）に示すように、カートインカウンタ２００を平面視した状態で、本体２１０の本体内面２１８と、チェックインカウンタ２２０のチェックインカウンタ内面２２５が、略直線状に並ぶように、一部分２１７が張り出している。そのため、レジ係は、例えば、この一部分２１７に商品を一時的に置くなど、レジ作業時に有効に利用することができる。
【００４２】
また、一実施形態のカートインカウンタ１００のチェックインカウンタ２０は、その上面が略水平になるように設置されていたが、これに限定されない。図４（ｃ）に示すように、チェックインカウンタ２２０はその上面がレジ係C側へ（カートインカウンタ２００の短手方向であって、レジ係C側へ）傾斜するように設置されてもよい。
【００４３】
具体的には、チェックインカウンタ２２０は、天板２２２と、当該天板２２２の裏面に固定された取付部材２２３からなり、この取付部材２２３がチェックインカウンタ２２０を任意の角度で傾斜して固定できる構造となっている。このように、チェックインカウンタ２２０をレジ係C側へ傾斜させることで、チェックインカウンタ２２０の上に直接カゴを置いて会計を済ませる場合に、レジ係Cがカゴの中から商品を取り出し易くなる。
【００４４】
また、取付部材２２３を本体２１０の側面に固定する際に用いる固定穴２２４は、垂直方向へ直線状に複数配置されているので、チェックインカウンタ２２０の設置高さも任意に変更できる。
【００４５】
さらに、チェックインカウンタ２２０は、図３に示す天板２２のように透明樹脂で形成されていなくても、複数の貫通穴２２６を設けることで、カートの下部荷台に載せられた商品をレジ係Cが確認することができる。
【００４６】
なお、本考案のカートインカウンタは、上記の実施例に限定されず、実用新案登録請求の範囲に記載された範囲、実施形態の範囲で、種々の変形例、組み合わせが可能であり、これらの変形例、組み合わせも本考案の範囲に含むものである。
【図１】
0003187603.tif 000003
【図２】
0003187603.tif 000004
【図３】
0003187603.tif 000005
【図４】
0003187603.tif 000006